(57)【要約】【課題】ライブビュー撮影において上面液晶パネルを視認する必要のない場合の電力消費を抑えることができるカメラを提供する。【解決手段】本発明に係わるカメラは、被写体像を撮像する撮像部１１と、上面液晶パネル５と、少なくとも撮像部１１で撮像された被写体像の画像を表示する、回動自在に構成された背面液晶パネル６と、上面液晶パネル５の表示面に対する背面液晶パネル６の表示面の角度が所定の閾値以上であることを検出する角度検出部１９と、この角度検出部１９において背面液晶パネル６の表示面の角度が所定の閾値以上であることが検出されたときは上面液晶パネル５への電力供給を停止するＣＰＵ２０とを備える。【選択図】図２
2010098466.tif 000002
【特許請求の範囲】
【請求項１】
光学部材により形成された被写体像を撮像する撮像部と、
撮影条件に関する情報の画像を表示する第１表示部と、
少なくとも前記撮像部で撮像された被写体像の画像を表示する、回動自在に構成された第２表示部と、
前記第１表示部の表示面に対する前記第２表示部の表示面の角度が所定の閾値以上であることを検出する検出手段と、
前記検出手段において前記第２表示部の表示面の角度が所定の閾値以上であることが検出されたときは前記第１表示部への電力供給を停止する制御手段と、
を備えることを特徴とするカメラ。
【請求項２】
請求項１に記載のカメラであって、
前記第１表示部の表示面を照明するバックライトを備え、
前記制御手段は、
前記検出手段において前記第２表示部の表示面の角度が所定の閾値以上であることが検出されたときは前記第１表示部と前記バックライトへの電力供給を停止すること、
を特徴とするカメラ。
【請求項３】
請求項１又は２に記載のカメラであって、
前記検出手段は、
前記第１表示部の表示面に対する前記第２表示部の表示面の角度が所定の第１閾値以上であること、及び前記第１表示部の表示面に対する前記第２表示部の表示面の角度が前記第１閾値よりも角度の大きな第２閾値以上であることを検出するものであり、
前記制御手段は、
前記検出手段において前記第２表示部の表示面の角度が所定の第１閾値以上であることが検出されたときは前記第１表示部への電力供給を停止し、前記検出手段において前記第２表示部の表示面の角度が所定の第２閾値以上であることが検出されたときは前記第１表示部へ電力供給すること、
を特徴とするカメラ。
【請求項４】
請求項１から３のいずれか一項に記載のカメラであって、
前記検出手段は、
前記第２表示部とともに回動する可動電極と、
前記第２表示部の回動角度に応じて前記可動電極と接触する固定電極と、
前記可動電極と前記固定電極との接触状態に基づいて、前記第１表示部の表示面に対する前記第２表示部の表示面の角度が所定の閾値以上であることを検出する角度検出回路と、
を備えることを特徴とするカメラ。
【請求項５】
請求項１から３のいずれか一項に記載のカメラであって、
前記検出手段は、
前記第２表示部の回動に伴い位置が変位する磁界発生部と、
前記磁界発生部との距離に応じて変化する磁界の強度に基づいて、前記第１表示部の表示面に対する前記第２表示部の表示面の角度が所定の閾値以上であることを検出する磁界検出部と、
を備えることを特徴とするカメラ。
【請求項６】
請求項１から５のいずれか一項に記載のカメラであって、
ユーザ操作に基づいて、前記所定の閾値を設定する角度設定手段を備えること、
を特徴とするカメラ。
【発明の詳細な説明】
【技術分野】
【０００１】
本発明は、複数の液晶表示パネルを備えたカメラに関するものである。
【背景技術】
【０００２】
従来より、背面液晶パネルと上面液晶パネルとを備えたカメラが知られている。このカメラでは、カメラ上部に固定配置された上面液晶パネルに対して、背面液晶パネルが可動自在に取り付けられている。このため、例えば、ライブビュー撮影でカメラをハイアングルにした場合は、背面液晶パネルを手前側に傾け、カメラを頭上に差し上げることにより、ファインダーを覗くことなく撮影を行うことができる（例えば、特許文献１参照）。
【特許文献１】特開２００６−１８０５７号公報
【発明の開示】
【発明が解決しようとする課題】
【０００３】
上記カメラでは、上面液晶パネルにシャッタースピード、絞り値、設定感度などの撮影条件が表示され、背面液晶パネルにはライブビューの画像と上記撮影条件とが表示される。一方、カメラをハイアングルした撮影では、カメラが頭上に位置するため、撮影者は上面液晶パネルに表示された撮影条件を視認することができない。しかし、従来はこのような状況においても上面液晶パネルには撮影条件が表示されたままとなるため、表示のために無駄な電力を消費していた。
【０００４】
本発明の課題は、ライブビュー撮影において上面液晶パネルを視認する必要のない場合の電力消費を抑えることができるカメラを提供することにある。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、光学部材（２ａ）により形成された被写体像を撮像する撮像部（１１）と、撮影条件に関する情報の画像を表示する第１表示部（５）と、少なくとも前記撮像部で撮像された被写体像の画像を表示する、回動自在に構成された第２表示部（６）と、前記第１表示部の表示面に対する前記第２表示部の表示面の角度が所定の閾値以上であることを検出する検出手段（１９、１９Ａ）と、前記検出手段において前記第２表示部の表示面の角度が所定の閾値以上であることが検出されたときは前記第１表示部への電力供給を停止する制御手段（２０）とを備えることを特徴とするカメラである。
請求項２に記載の発明は、請求項１に記載のカメラであって、前記第１表示部（５）の表示面を照明するバックライト（１３）を備え、前記制御手段（２０）は、前記検出手段（１９、１９Ａ）において前記第２表示部（６）の表示面の角度が所定の閾値以上であることが検出されたときは前記第１表示部と前記バックライトへの電力供給を停止することを特徴とする。
請求項３に記載の発明は、請求項１又は２に記載のカメラであって、前記検出手段（１９、１９Ａ）は、前記第１表示部（５）の表示面に対する前記第２表示部（６）の表示面の角度が所定の第１閾値以上であること、及び前記第１表示部の表示面に対する前記第２表示部の表示面の角度が前記第１閾値よりも角度の大きな第２閾値以上であることを検出するものであり、前記制御手段（２０）は、前記検出手段において前記第２表示部の表示面の角度が所定の第１閾値以上であることが検出されたときは前記第１表示部への電力供給を停止し、前記検出手段において前記第２表示部の表示面の角度が所定の第２閾値以上であることが検出されたときは前記第１表示部へ電力供給することを特徴とする。
請求項４に記載の発明は、請求項１から３のいずれか一項に記載のカメラであって、前記検出手段（１９）は、前記第２表示部（６）とともに回動する可動電極（２１）と、前記第２表示部の回動角度に応じて前記可動電極と接触する固定電極（２２）と、前記可動電極と前記固定電極との接触状態に基づいて、前記第１表示部（５）の表示面に対する前記第２表示部の表示面の角度が所定の閾値以上であることを検出する角度検出回路（２５）とを備えることを特徴とする。
請求項５に記載の発明は、請求項１から３のいずれか一項に記載のカメラであって、前記検出手段（１９Ａ）は、前記第２表示部（６）の回動に伴い位置が変位する磁界発生部（２６）と、前記磁界発生部との距離に応じて変化する磁界の強度に基づいて、前記第１表示部（５）の表示面に対する前記第２表示部の表示面の角度が所定の閾値以上であることを検出する磁界検出部（２７）とを備えることを特徴とする。
請求項６に記載の発明は、請求項１から５のいずれか一項に記載のカメラであって、ユーザ操作に基づいて、前記所定の閾値を設定する角度設定手段（６、９、１４、２０）を備えることを特徴とする。
なお、符号を付して説明した構成は、適宜改良してもよく、また、少なくとも一部を他の構成物に代替してもよい。
【発明の効果】
【０００６】
本発明によれば、ライブビュー撮影において上面液晶パネルを視認する必要のない場合の電力消費を抑えることができるカメラを提供することができる。
【発明を実施するための最良の形態】
【０００７】
以下、図面を参照して、本発明に係わるカメラの実施形態について説明する。なお、以下の説明で使用する図には、説明と理解とを容易にするために、必要に応じてＸＹＺの直交座標系を設けた。この座標系では、撮影者が光軸Ａを水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。
【０００８】
図１は、本実施形態に係わるカメラの概観図である。本実施形態のカメラシステム１０は、カメラ（ボディ）１と、レンズ鏡筒２とからなり、カメラ１にレンズ鏡筒２が着脱自在なレンズ交換式のカメラシステムとして構成されている。
【０００９】
カメラ１の上面には、撮影モードなどを選択可能なモードダイアル３、レリーズボタン４、上面液晶パネル５などが配置されている。また、カメラ背面の中央付近には、背面液晶パネル６が配置されている。この背面液晶パネル６は、可動部６ａにより回動自在に支持されており、図中の矢印方向に角度調節が可能となっている。したがって、ライブビュー撮影でカメラをハイアングルにした場合は、背面液晶パネル６を手前側に回動させ、カメラを頭上に差し上げることにより、ファインダー７を覗くことなく撮影を行うことが可能となる。なお、背面液晶パネル６を回動させたときの角度については後述する。
【００１０】
また、背面液晶パネル６の上部には、撮影者が被写体を光学的に視認するためのファインダー７が配置され、右側には露出モードの設定や撮影条件などを入力するコマンドダイアル８、メニュー項目の移動や設定が可能なセレクタダイアル９が配置されている。なお、本実施形態のカメラ１には、操作部材として、レリーズボタン４やモードダイアル３、セレクタダイアル９以外にも、各種ダイアル、レバー、スイッチなどが配置されているが、これらの図示と説明を省略する。
【００１１】
図２は、本実施形態にカメラシステム１０の電気的な構成を示すブロック図である。以下、各部について順に説明する。
【００１２】
レンズ鏡筒２は、内部に光学部材であるレンズ２ａを備えている。レンズ鏡筒２に入射した被写体光はレンズ２ａにより屈折され、射出側となる撮像部１１の受光面に被写体像が結像される。
【００１３】
撮像部１１は、平面配置された複数の図示しない固体撮像素子により構成され、レンズ２ａにより結像された被写体像を固体撮像素子の受光面で撮像し、画像信号に変換して画像処理部１２へ出力する。
【００１４】
画像処理部１２は、撮像部１１から出力された画像信号に対し、ノイズ除去、Ａ／Ｄ変換、色補正処理、サイズ変更、符号化などの処理を行い、デジタルの画像データを作成する。この画像データは後述するＤＲＡＭ１６に一時的に記憶される。
【００１５】
上面液晶パネル５は、カメラ１の上面に固定的に配置された表示装置であり、本実施形態における第１表示部として機能する。この上面液晶パネル５には、シャッタースピード、絞り値、設定感度などの撮影条件に関する情報が表示される。また、上面液晶パネル５の表示面と反対側となる裏面には、照明用のバックライト１３が配置されている。
【００１６】
背面液晶パネル６は、カメラ１の背面に回動自在に配置された表示装置であり、本実施形態における第２表示部として機能する。この背面液晶パネル６には、上記撮影条件のほかに、各種設定や登録を行うためのメニュー画面、撮影した画像の静止画、ライブビューの画像を含む動画などが表示される。
【００１７】
ＥＥＰＲＯＭ１４は、カメラ１の電源がオフしても記憶した情報を保持する不揮発性メモリであり、ユーザ設定やカスタム設定などの入力情報が記憶される。
【００１８】
ＲＯＭ１５は、カメラ１の動作や制御に必要なプログラムのほか、このプログラムの実行に必要な初期値や設定値などが記憶される。
【００１９】
ＤＲＡＭ１６は、カメラ１の電源がオフしたときに記憶した情報が消去される揮発性メモリであり、上述した画像データのほか、画像処理部１２、ＣＰＵ２０などが処理を行う際に必要なデータが一時的に記憶される。
【００２０】
メモリカードＩ／Ｆ（インターフェース）部１７は、ＤＲＡＭ１６に記憶されている画像データをメモリカード１００に記録し、またメモリカード１００に記録されている画像データを読み出す機能を備えた書き込み／読み出し装置である。このメモリカードＩ／Ｆ部１７の図示しないメモリカードスロットには、メモリカード１００が着脱自在に装着される。
【００２１】
電源回路１８は、図示しない電源装置から出力された電力を各部の作動状況に応じて供給する回路であり、上面液晶パネル５、背面液晶パネル６、バックライト１３に電力を供給している。この電源回路１８による電力供給は、ＣＰＵ２０により制御されている。なお、電源回路１８は、上面液晶パネル５、背面液晶パネル６、バックライト１３の他にも、図示しない回路基板などに電力を供給しているが、ここでは説明を省略する。
【００２２】
角度検出部１９は、背面液晶パネル６の可動部６ａ（図１参照）に設けられ、上面液晶パネル５の表示面に対する背面液晶パネル６の表示面の角度が所定の閾値以上であることを検出する検出手段として機能する。詳しくは、上面液晶パネル５の表示面に対する背面液晶パネル６の表示面の角度が所定の第１閾値以上であること、及び上面液晶パネル５の表示面に対する背面液晶パネル６表示面の角度が前記第１閾値よりも角度の大きな第２閾値以上であることを検出する検出手段として機能する。この角度検出部１９は、後述のＣＰＵ２０に接続されている。
【００２３】
ＣＰＵ２０は、カメラシステム１０全体の動作を制御する回路であり、マイクロプロセッサにより構成されている。ＣＰＵ２０には、モードダイアル３、レリーズボタン４、セレクタダイアル９などの操作部材から送信された各種信号やデータなどが入力される。
【００２４】
このＣＰＵ２０では、例えばレリーズボタン４が半押しされると、図示しない焦点検出部で検出された被写体像のデフォーカス量に基づいてレンズ駆動量を演算する。このレンズ駆動量に関する情報をレンズ鏡筒２側のＣＰＵへ送信することにより、レンズ鏡筒２のレンズ内モータによる焦点調節がなされる。または、このレンズ駆動量に基づいて図示しないボディ内モータを駆動することにより、カップリング機構を介して駆動力がレンズ鏡筒２側に伝達されて焦点調節がなされるものであってもよい。
【００２５】
また、ＣＰＵ２０は、図示しない測光センサによる被写体像の測光値や、装着されたレンズ鏡筒２のレンズの種類、開放Ｆ値、焦点距離などのレンズ情報のほか、ユーザにより設定された撮影モード、図示しない感度設定部から入力された感度情報などに基づいて適正な露出値を演算する。そして、その露出値に応じた絞り値とシャッタースピード値を選択し、図示しない絞りユニットやシャッターユニットへ送信することにより、露出制御が行われる。
【００２６】
また、ＣＰＵ２０は、角度検出部１９において、上面液晶パネル５の表示面に対する背面液晶パネル６の表示面の角度が所定の閾値以上であることが検出されたときは、上面液晶パネル５への電力供給を停止する制御手段として機能する。詳しくは、角度検出部１９において上面液晶パネル５の表示面の角度が所定の第１閾値以上であることが検出されたときは上面液晶パネル５への電力供給を停止し、角度検出部１９において上面液晶パネル５の表示面の角度が所定の第２閾値以上であることが検出されたときは上面液晶パネル５へ電力供給するように制御する制御手段として機能するものである。
【００２７】
本実施形態において、上記第１閾値は１６０°であり、第２閾値は２０１°となる。なお、以下の説明において、「上面液晶パネル５の表示面に対する背面液晶パネル６の表示面の角度」を、適宜に「背面液晶パネル６の表示面の角度」と省略して記載する。また、通常のカメラシステムとして備えている、測光部、焦点検出部、絞りユニット、シャッターユニット、ミラー駆動部、ファインダー光学系などについては図示を省略する。
【００２８】
次に、背面液晶パネル６の角度範囲と角度検出部１９の構成について説明する。図３は、上面液晶パネル５と背面液晶パネル６との位置関係を示す側面図である。図３において、上面液晶パネル５と背面液晶パネル６に示す矢印は、各表示面に直角な法線を示している。また、カッコ内の数値は上面液晶パネル５の法線に対し、背面液晶パネル６の法線がとりうる角度を示している。背面液晶パネル６がカメラ１背面の定位置にある場合、上面液晶パネル５の表示面に対する背面液晶パネル６の表示面の角度は９０°となる。
【００２９】
一般に、ライブビュー撮影でカメラをハイアングルにした場合は、背面液晶パネル６を手前側に傾けて、カメラ１を頭上に差し上げるようにして撮影を行う。このとき、撮影者は背面液晶パネル６を下から仰ぎ見るような姿勢となる。
【００３０】
そこで、本実施形態では、図３に示すように、背面液晶パネル６の表示面の角度が１６０°以上の場合は、上記のようなライブビュー撮影でカメラをハイアングルにしていると考えられるため、上面液晶パネル５への電力供給を停止するようにしている。
【００３１】
また、上面液晶パネル５の表示面に対する背面液晶パネル６の表示面の角度を最大で２７０°としている。本実施形態では、上面液晶パネル５の表示面に対する背面液晶パネル６の表示面の角度が２００°以上となった場合には、ライブビュー撮影でカメラをハイアングルにしているのではなく、例えば、撮影者自らがカメラ１の被写体側に回り込んで被写体となるような撮影（自分撮り）が行われていると考えられるため、上面液晶パネル５への電力供給を再開するようにしている。このような自分撮りの場合は、撮影者が上面液晶パネル５に表示された撮影条件を視認することができると考えられるからである。
【００３２】
したがって、上面液晶パネル５への電力供給を停止するのは、背面液晶パネル６の表示面の角度が１８０°±２０°（１６０°〜２００°）の範囲であり、それ以外の角度では、上面液晶パネル５へ電力供給が行われることになる。
【００３３】
次に、角度検出部１９の構成について説明する。図４は、角度検出部１９の構成を示す説明図である。本実施形態における角度検出部１９は、背面液晶パネル６とともに回動する可動電極２１と、背面液晶パネル６の回動角度に応じて可動電極２１と接触するように配置された固定電極２２と、背面液晶パネル６の回動により可動電極２１と固定電極２２とが接触しているときにＣＰＵ２０に角度検出信号を出力する角度検出回路２５とから構成されている。
【００３４】
図４では、背面液晶パネル６が回動したときのそれぞれの位置における可動電極２１を破線で示している。可動電極２１には信号線２３が接続されており、この信号線２３を通じて角度検出回路２５と電気的に接続されている。また、信号線２３は可動電極２１とともに移動自在に配線されている。このため、可動電極２１がどの位置に回動しても可動電極２１と角度検出回路２５との電気的な接続は維持される。一方、固定電極２２は信号線２４により角度検出回路２５と電気的に接続されている。図４では、可動電極２１と固定電極２２とを可動部６ａの内部に配置した例について示しているが、可動電極２１と固定電極２２は、カメラ１の内部に設けられていてもよい。
【００３５】
角度検出回路２５は、信号線２３、２４とつながる閉回路に一定電圧の検出信号を供給している。これにより、可動電極２１と固定電極２２とが接触しているときは、角度検出回路２５において検出信号を検出することができる。一方、可動電極２１と固定電極２２とが接触していないときは、角度検出回路２５において検出信号を検出することができない。そして、角度検出回路２５では、検出信号を検出したときにはＣＰＵ２０に角度検出信号を送信し、また検出信号を検出できないときにはＣＰＵ２０へ角度検出信号を送信しないようにしている。
【００３６】
図４において、固定電極２２は、背面液晶パネル６の表示面の角度が１８０°±２０°（１６０°〜２００°）の範囲にあるときに可動電極２１と接触するように略三日月形に形成されている。また、固定電極２２を複数の小電極に分割し、その小電極毎に角度検出回路２５との接続／非接続を切り替えることにより、角度検出信号を出力する範囲の設定を任意に変更することができる。なお、上面液晶パネル５への電力供給を、背面液晶パネル６の表示面のどの角度で停止するかの設定については後述する。
【００３７】
したがって、ＣＰＵ２０では、角度検出回路２５から角度検出信号を受信したときは、背面液晶パネル６の表示面の角度が１８０°±２０°（１６０°〜２００°）の範囲にあり、また角度検出信号を受信しないときは、背面液晶パネル６の表示面の角度が、それ以外の角度にあると判断することができる。
【００３８】
次に、角度検出部１９の他の実施形態について説明する。図５（ａ）は他の実施形態における角度検出部１９Ａの構成を示す説明図、（ｂ）は背面液晶パネル６の角度と磁界強度との関係を示す特性図である。なお、図５（ｂ）に示す特性図は、背面液晶パネル６の角度と磁界強度との関係を理解し易くするために概念的に示したものであり、実際の特性曲線の形状を示したものではない。
【００３９】
図５（ａ）に示すように、他の実施形態における角度検出部１９Ａは、背面液晶パネル６側に設けられ、背面液晶パネル６の回動に伴い位置が変位する磁石などの磁界発生部２６と、カメラ１側に設けられ、磁界発生部２６との距離に応じて変化する磁界の強度を検出するＭＲセンサなどの磁界検出部２７とから構成されている。このうち、磁界検出部２７は、ＣＰＵ２０と電気的に接続されている。
【００４０】
磁界検出部２７は、磁界発生部２６との距離に応じて変化する磁界の強度に基づいて、上面液晶パネル５の表示面に対する背面液晶パネル６の表示面の角度が所定の閾値以上であることを検出する。詳しくは、検出された磁界の強度が所定の強度範囲内にあるときは、背面液晶パネル６の表示面の角度が所定の閾値以上であることを示す角度検出信号をＣＰＵ２０に送信し、それ以外の強度であれば角度検出信号を送信しないようにしている。
【００４１】
ここで、背面液晶パネル６の角度と磁界強度との関係について説明する。図５（ｂ）に示すように、上面液晶パネル５の表示面に対する背面液晶パネル６の表示面の角度と、磁界検出部２７で検出される磁界強度とは反比例の関係にある。すなわち、背面液晶パネル６の表示面の角度が大きくなるほど、磁界検出部２７で検出される磁界強度は小さくなり、背面液晶パネル６の表示面の角度が小さくなるほど、磁界検出部２７で検出される磁界強度は大きくなる。
【００４２】
そこで、あらかじめ背面液晶パネル６の表示面の角度を１８０°±２０°（１６０°〜２００°）に設定し、それぞれの角度において、磁界検出部２７で検出される磁界強度Ｘ１，Ｘ２をそれぞれ計測しておく。そして、磁界検出部２７において磁界強度Ｘ１〜Ｘ２の磁界強度を検出したときにはＣＰＵ２０に角度検出信号を送信し、それ以外の磁界強度であればＣＰＵ２０に角度検出信号を送信しないように、検出した磁界強度Ｘと角度検出信号とを対応付けて記憶しておく。これにより、背面液晶パネル６の表示面の角度に応じた角度検出信号を送信することができる。
【００４３】
この例においても、検出した磁界強度と角度検出信号との対応関係を変更することにより、角度検出信号を出力する範囲の設定を任意に変更することができる。例えば、背面液晶パネル６の表示面の角度が１８０°以上となったときに角度検出信号を送信させるには、背面液晶パネル６の表示面の角度が９０°〜１７９°の範囲における磁界強度を検出したときに角度検出信号を送信しないように設定を変更すればよい。また、背面液晶パネル６の表示面の角度が１８０°以上となったときに角度検出信号を送信し、さらに背面液晶パネル６の表示面の角度が２２０°以上となったときに、再び角度検出信号を送信しないようにするには、背面液晶パネル６の表示面の角度が２２０°以上となったときの磁界強度を検出したときに角度検出信号を送信しないように設定を変更すればよい。
【００４４】
したがって、ＣＰＵ２０では、磁界検出部２７から角度検出信号を受信したときは、上面液晶パネル５の表示面に対する背面液晶パネル６の表示面の角度が１８０°±２０°（１６０°〜２００°）の範囲にあり、また角度検出信号を受信しないときは、上面液晶パネル５の表示面に対する背面液晶パネル６の表示面の角度が、それ以外の角度にあると判断することができる。
【００４５】
次に、上記のように構成されたカメラ１において、ライブビュー撮影時における画像の撮影から記録までのＣＰＵ１２０による一連の処理手順を図６、図７のフローチャートを参照しながら説明する。このフローチャートの動作は、ユーザがライブビュー撮影（ここでは手持ち撮影）を設定する操作を行った後、図示しないレリーズボタンを全押しすることでスタートする。
【００４６】
ステップＳ１０１において、ＣＰＵ２０は、図示しないミラー駆動部を制御して、メインミラーとサブミラーを上方に跳ね上げて光路上から退避させる（ミラーアップ）。
【００４７】
ステップＳ１０２において、ＣＰＵ２０は、図示しないシャッターユニットを制御して、シャッターを開放させる。
【００４８】
ステップＳ１０３において、ＣＰＵ２０は、撮像部１１で撮像された画像を背面液晶パネル６に表示する（ライブビュー開始）。
【００４９】
ステップＳ１０４において、ＣＰＵ２０は、ライブビューが終了したかどうかを判断する。ライブビューを終了するには、他モードへの切り換え、又は特定ボタンを押すなどの操作を行う。このステップＳ１０４の判断でＹＥＳであれば、ステップＳ１０５において、ＣＰＵ２０は、図示しないミラー駆動部を制御して、上方に跳ね上げていたメインミラーとサブミラーを元の位置に戻して光路上に復帰させる（ミラーダウン）。そして、本ルーチンの処理を終了する。
【００５０】
一方、ステップＳ１０４の判断でＮＯであれば、ステップＳ１０６へ進み、ＣＰＵ２０は、撮像部１１で取得した画像データに基づいて測光と焦点調節を行う。なお、通常撮影中は位相差ＡＦにより焦点調節が行われるが、ライブビュー中はコントラストＡＦにより焦点調節行われる。なお、ライブビューの開始後、例えばレリーズボタンが半押しされている間はライブビューを一時中断して、通常のオートフォーカスによる測光と焦点調節を行うようにしてもよい。
【００５１】
ステップＳ１０７において、ＣＰＵ２０は、サブルーチンの表示処理を実行する。ここで、ステップＳ１０７の表示処理を図７のフローチャートを参照しながら説明する。ここでは、図４に示す角度検出部１９からの角度検出信号に基づいて表示処理を行う例について説明するが、図５に示す角度検出部１９Ａからの角度検出信号に基づいて表示処理を行うようにしてもよい。
【００５２】
ステップＳ２０１において、ＣＰＵ２０は、角度検出回路２５から角度検出信号を受信したかどうかを判断する。このステップＳ２０１の判断でＹＥＳであれば、ステップＳ２０２において、ＣＰＵ２０は、上面液晶パネル５への電力供給を停止するように電源回路１８を制御して、図６のメインルーチンへリターンする。
【００５３】
なお、ステップＳ２０２において、上面液晶パネル５への電力供給を停止するだけでなく、この上面液晶パネル５を照明するバックライト１３への電力供給を同時に停止するようにしてもよい。
【００５４】
このように、ＣＰＵ２０が角度検出信号を受信するのは、背面液晶パネル６の表示面の角度が１６０°以上となった場合である。この場合は、撮影者がライブビュー撮影でカメラをハイアングルにしていると考えられるため、上面液晶パネル５への電力供給を停止する。これにより、上面液晶パネル５は消灯することになる。
一方、ステップＳ２０１でＮＯであれば、ステップＳ２０３へ進み、ＣＰＵ２０は、上面液晶パネル５への電力供給を再開して、図６のメインルーチンへリターンする。
【００５５】
このように、ＣＰＵ２０が角度検出信号を受信しなくなるのは、背面液晶パネル６の表示面の角度が１６０°未満又は２００°以上となった場合である。例えば、背面液晶パネル６の表示面の角度が１６０°未満となった場合は、撮影者が背面液晶パネル６を定位置に戻そうとしていると考えられ、また背面液晶パネル６の表示面の角度が２００°以上となった場合は、撮影者が自分撮りをしているものと考えられる。このため、いずれの場合も上面液晶パネル５への電力供給を再開する。これにより上面液晶パネル５は再び点灯することになる。
【００５６】
上述した図７の表示処理が終了すると、図６のステップＳ１０８において、ＣＰＵ２０は、図示しないレリーズボタンが全押しされたかどうかを判断する。このステップＳ１０８の判断でＮＯであれば、ステップＳ１０４へリターンする。したがって、ライブビュー中にレリーズボタンの全押しによる撮影が行わなければ、ステップＳ１０６，ステップＳ１０７の処理が繰り返し実行されることになる。
【００５７】
ステップＳ１０８の判断でＹＥＳであれば、ステップＳ１０９において、ＣＰＵ２０は撮像処理を実行する。ここでは、上方に跳ね上げていたメインミラーとサブミラーをミラーダウンして、通常のオートフォーカスによる測光と焦点調節を行った後、撮像部１１により撮像を行う。そして、得られた画像信号を画像処理部１２で画像データとして生成し、ＤＲＡＭ１６に一時的に記憶する。次に、ステップＳ１１０において、ＣＰＵ２０は、ＤＲＡＭ１６に記憶していた画像データを、メモリカードＩ／Ｆ部１７を介してメモリカード１００へ記録する。その後は、ステップＳ１０４へリターンする。したがって、ライブビューが終了するまでは、ステップＳ１０６〜ステップＳ１１０の処理が繰り返し実行されることになる。
【００５８】
次に、上面液晶パネル５への電力供給を停止する、背面液晶パネル６の角度範囲の設定について説明する。
【００５９】
図８は、上面液晶パネル消灯設定のためのメニュー画面３１を示す説明図である。このメニュー画面３１は背面液晶パネル６に表示されるものであり、背面液晶パネル６の角度範囲を設定するために、角度範囲の上限値を入力する第１設定エリア３２と、下限値を入力する第２設定エリア３３とが表示されている。本実施形態において、背面液晶パネル６、カメラ１背面のセレクタダイアル９、ＥＥＰＲＯＭ１４、及びＣＰＵ２０は、ユーザ操作により入力された、上面液晶パネル５の表示面に対する背面液晶パネル６の表示面の角度に基づいて、所定の閾値を設定する角度設定手段として機能する。
【００６０】
例えば、第１設定エリア３２に角度を入力する場合は、カメラ１背面のセレクタダイアル９の上向き又は下向きの三角マークを所定回数押すことにより、数値を上昇又は下降させることができる。そして、所望の数値を入力した時点でセレクタダイアル９の中央（ＯＫ）を押すことにより、入力した数値を設定することができる。このメニュー画面３１を介して設定された値は、ＣＰＵ２０によってＥＥＰＲＯＭ１４に記憶される。そして、再び角度範囲の設定がなされるまで、ＥＥＰＲＯＭ１４に記憶された数値に基づいて、角度検出部１９から角度検出信号が送信されることになる。
【００６１】
上記実施形態によると、以下の効果を奏する。
（１）背面液晶パネル６の表示面の角度が第１閾値以上のときは、上面液晶パネル５への電力供給を停止するようにしたので、ライブビュー撮影でカメラをハイアングルにした場合に、撮影者が視認することのない上面液晶パネル５での無駄な電力消費を抑えることができる。
（２）上面液晶パネル５だけでなく、バックライト１３への電力供給も停止することにより、更に電力消費を抑えることができる。
（３）背面液晶パネル６の表示面の角度が第１閾値よりも角度の大きな第２閾値以上のときは、上面液晶パネル５への電力供給を再開するようにしたので、撮影者が自分撮りをしている場合において、撮影者は上面液晶パネル５に表示された撮影条件を視認することができる。
（４）角度検出部１９（図４）は、可動電極２１と固定電極２２との接触／非接触により角度検出信号を出力する構成であるため、背面液晶パネル６の表示面の角度を正確に検出することができる。また、固定電極２２を複数の小電極に分割し、その小電極毎に角度検出回路２５との接続／非接続を切り替える構成とすることにより、角度検出信号を出力する範囲の設定を任意に変更することができる。
（５）角度検出部１９Ａ（図５）は、磁界発生部２６と磁界検出部２７との距離に応じて角度検出信号を出力する構成であるため、機械的な可動部分が不要となり、構成を簡素化するこができる。また、磁界発生部２６や磁界検出部２７の設置が容易であるため、外観設計の自由度を高めることができる。
（６）上面液晶パネル５への電力供給を停止する、背面液晶パネル６の角度範囲をユーザ設定できるようにしたので、ユーザは撮影条件などに応じて、所望の角度で上面液晶パネル５を消灯させることができる。
［変形形態］
【００６２】
以上説明した実施形態に限定されることなく、本発明は以下に示すような種々の変形や変更が可能であり、それらも本発明の範囲内である。
（１）角度検出部１９は、上記実施形態の構成に限定されるものではなく、同等に機能し得るものであれば、他の構成により実現することができる。例えば、回転角度を検出するロータリーエンコーダを可動部６ａに設け、このロータリーエンコーダで検出された角度検出信号に基づいてＣＰＵ２０が背面液晶パネル６の表示面の角度を判断するようにしてもよい。
（２）上面液晶パネル５と背面液晶パネル６との位置関係は図１に示す例に限らず、例えば、図９に示すような位置関係であってもよい。図９は、上面液晶パネル５を背面液晶パネル６と同じ背面の上部に配置した例を示している。このような配置においても、ライブビュー撮影でカメラをハイアングルにした場合に、背面液晶パネル６の表示面の角度が第１閾値（例えば、１６０°）以上になると、撮影者は上面液晶パネル５を視認することができない状況となる。したがって、背面液晶パネル６の表示面の角度が第１閾値上となったときに、上面液晶パネル５への電力供給を停止することにより、撮影者が視認することのない上面液晶パネル５での無駄な電力消費を抑えることができる。
（３）上記実施形態では、第１、第２表示部を液晶パネルで構成した例について示したが、表示部は有機ＥＬディスプレイやプラズマディスプレイであってもよい。
（４）上記実施形態では、本発明をレンズ交換式のカメラシステムに適用した場合について説明したが、２つの表示部を備え、そのうちの一方が回動自在に構成されたものであれば、他のカメラシステムにも適用することができる。例えば、高倍率ズームレンズがカメラボディに一体に設けられたカメラにも適用することができる。
【図面の簡単な説明】
【００６３】
【図１】実施形態に係わるカメラの概観図である。
【図２】実施形態にカメラシステムの電気的な構成を示すブロック図である。
【図３】上面液晶パネルと背面液晶パネルとの位置関係を示す側面図である。
【図４】角度検出部の構成を示す説明図である。
【図５】（ａ）は他の実施形態における角度検出部の構成を示す説明図、（ｂ）は背面液晶パネルの角度と磁界強度との関係を示す特性図である。
【図６】ライブビュー撮影時における画像の撮影から記録までの処理手順を示すフローチャートである。
【図７】図６の表示処理における処理手順を示すフローチャートである。
【図８】上面液晶パネル消灯設定のためのメニュー画面を示す説明図である。
【図９】上面液晶パネルを背面液晶パネルと同じ背面の上部に配置した例を示す側面図である。
【符号の説明】
【００６４】
１：カメラ、２：レンズ鏡筒、５：上面液晶パネル、６：背面液晶パネル、６ａ：可動部、１０：カメラシステム、１３：バックライト、１８：電源回路、１９（１９Ａ）：角度検出部、２０：ＣＰＵ
【図１】
2010098466.tif 000003
【図２】
2010098466.tif 000004
【図３】
2010098466.tif 000005
【図４】
2010098466.tif 000006
【図５】
2010098466.tif 000007
【図６】
2010098466.tif 000008
【図７】
2010098466.tif 000009
【図８】
2010098466.tif 000010
【図９】
2010098466.tif 000011